(57)【要約】【課題】通信機の着信を確認でき、また、所有者の趣向を反映し、ファッション性に優れ、斬新な通信機用着信表示装置を提供する。【解決手段】着信検出回路５等に、携帯電話機１００の着信電波を検出させ、記憶部７に文字、図形、記号等から形成される表示内容を書き替え可能に記憶させ、そして、制御部６に、着信検出回路５の出力に基づいて、記憶部７から表示内容を読み出させ、複数のＬＥＤがマトリクス配列されたレトロ感覚の表示部３に表示させた。【選択図】図２
2007116398.tif 000002
【特許請求の範囲】
【請求項１】
通信機の着信電波を検出する検出部と、
文字、図形若しくは記号若しくはこれらの結合又はこれらと色彩との結合から形成される表示内容を表示する表示部と、
前記表示内容を記憶する記憶部と、
前記検出部の出力に基づいて、前記記憶部から前記表示内容を読み出し、前記表示部に表示する制御部と、
を備えた通信機用着信表示装置。
【請求項２】
請求項１に記載の通信機用着信表示装置において、
前記表示部は、前記表示内容を、複数のＬＥＤを用いてマトリクス表示すること、
を特徴とする通信機用着信表示装置。
【請求項３】
請求項１又は請求項２に記載の通信機用着信表示装置において、
前記表示部は、前記表示内容を、スクロール表示すること、
を特徴とする通信機用着信表示装置。
【請求項４】
請求項１から請求項３までのいずれか１項に記載の通信機用着信表示装置において、
前記検出部及び／又は前記制御部は、前記着信電波の種類を識別し、
前記制御部は、前記識別に基づいて前記着信電波の前記種類に対応した表示内容を前記記憶部から読み出し、前記表示部に表示すること、
を特徴とする通信機用着信表示装置。
【請求項５】
請求項１から請求項４までのいずれか１項に記載の通信機用着信表示装置において、
外部入力装置との間で通信可能な通信手段を備え、
前記通信手段を用いて、前記記憶部の前記表示内容の書き替えが可能なこと、
を特徴とする通信機用着信表示装置。
【請求項６】
請求項５に記載の通信機用着信表示装置において、
前記通信手段は、前記外部入力装置との間を、電気的に接続可能な入力端子を備えること、
を特徴とする通信機用着信表示装置。
【請求項７】
請求項５又は請求項６に記載の通信機用着信表示装置において、
前記通信機は、前記外部入力装置を兼用すること、
を特徴とする通信機用着信表示装置。
【発明の詳細な説明】
【技術分野】
【０００１】
本発明は、通信機の着信を表示する通信機用着信表示装置に関するものである。
【背景技術】
【０００２】
従来から、携帯電話機等が電波を着信したときに、ＬＥＤを発光させたりして、通信機の着信を所持者等に報知するアクセサリがあった。このアクセサリは、携帯電話機のアンテナの先端にＬＥＤを取り付けたものや、ＬＥＤを取り付けたマスコットをストラップによって携帯電話機に取り付けるもの（例えば、特許文献１）等があった。
しかし、これらのアクセサリは、以下の問題があった。
（１）視認性が低く、携帯電話機等が電波を着信したことに気付かない場合があった。
（２）着信を報知するだけの趣向の少ないものであり、所持者の趣向を十分に反映できなかった。
（３）ファッション性に乏しいため、玩具のような感覚で使用されることが多く、購入する年齢層が限られていた。また、普及するに従って斬新さが失われてしまった。
【特許文献１】実用新案登録第３０９１３９３号
【発明の開示】
【発明が解決しようとする課題】
【０００３】
本発明の課題は、通信機の着信を確認でき、また、所有者の趣向を反映し、ファッション性に優れ、斬新な通信機用着信表示装置を提供することである。
【課題を解決するための手段】
【０００４】
前記課題を解決するために、請求項１の発明は、通信機（１００）の着信電波を検出する検出部（４，５）と、文字、図形若しくは記号若しくはこれらの結合又はこれらと色彩との結合から形成される表示内容を表示する表示部（３）と、前記表示内容を記憶する記憶部（７）と、前記検出部（４，５）の出力に基づいて、前記記憶部（７）から前記表示内容を読み出し、前記表示部（３）に表示する制御部（６）と、を備えた通信機用着信表示装置である。
【０００５】
請求項２の発明は、請求項１に記載の通信機用着信表示装置において、前記表示部（３）は、前記表示内容を、複数のＬＥＤを用いてマトリクス表示すること、を特徴とする通信機用着信表示装置である。
請求項３の発明は、請求項１又は請求項２に記載の通信機用着信表示装置において、前記表示部（３）は、前記表示内容を、スクロール表示すること、を特徴とする通信機用着信表示装置である。
請求項４の発明は、請求項１から請求項３までのいずれか１項に記載の通信機用着信表示装置において、前記検出部（４，５）及び／又は前記制御部（６）は、前記着信電波の種類を識別し、前記制御部（６）は、前記識別に基づいて前記着信電波の前記種類に対応した表示内容を前記記憶部（７）から読み出し、前記表示部（３）に表示すること、を特徴とする通信機用着信表示装置である。
請求項５の発明は、請求項１から請求項４までのいずれか１項に記載の通信機用着信表示装置において、外部入力装置との間で通信可能な通信手段（６，８）を備え、前記通信手段（６，８）を用いて、前記記憶部（７）の前記表示内容の書き替えが可能なこと、を特徴とする通信機用着信表示装置である。
請求項６の発明は、請求項５に記載の通信機用着信表示装置において、前記通信手段（６，８）は、前記外部入力装置との間を、電気的に接続可能な入力端子（８）を備えること、を特徴とする通信機用着信表示装置である。
請求項７の発明は、請求項５又は請求項６に記載の通信機用着信表示装置において、前記通信機（１００）は、前記外部入力装置を兼用すること、を特徴とする通信機用着信表示装置である。
【発明の効果】
【０００６】
本発明によれば、以下の効果を奏することができる。
（１）本発明は、検出部が通信機の着信電波を検出し、表示部が文字、図形若しくは記号若しくはこれらの結合又はこれらと色彩との結合から形成される表示内容を表示し、記憶部が表示内容を記憶する。そして、制御部は、検出部の出力に基づいて、記憶部から表示内容を読み出し、表示部に表示する。これにより、表示部を視認することにより、通信機の着信を確認することができる。
【０００７】
（２）本発明は、表示部が、表示内容を、複数のＬＥＤを用いてマトリクス表示するので、視認性を向上することができ、また、レトロ感覚のファッション性を備えることができる。
【０００８】
（３）本発明は、表示部が、表示内容を、スクロール表示するので、視認性をさらに向上させ、また、より多くの表示内容を表示することができる。
【０００９】
（４）本発明は、着信電波の種類を識別し、着信電波の種類に応じた表示内容を記憶から読み出し表示部に表示するため、表示部の内容を視認することにより、着信電波の種類を確認することができる。これにより、ユーザは、例えば、通信機用着信表示装置が携帯情報端末であれば、メール、通話等を判別することができる。
【００１０】
（５）本発明は、外部入力装置との間で通信可能な通信手段を備え、記憶部の表示内容の書き替えが可能であるので、所有者の趣向を反映することができる。
【００１１】
（６）本発明は、通信手段が、外部入力装置との間を、電気的に接続可能な入力端子を備えるので、外部入力端子を介して外部入力装置との間で情報の伝達をすることにより、記憶部の表示内容の書き替えを行うことができる。
【００１２】
（７）本発明は、通信機が外部入力装置を兼用するので、パーソナルコンピュータ等を用いなくても、記憶部の表示内容の書き替えを行うことができる。
【発明を実施するための最良の形態】
【００１３】
本発明は、通信機の着信を確認でき、また、所有者の趣向を反映し、ファッション性に優れ、斬新な通信機用着信表示装置を提供する、また、所有者の趣向を反映し、ファッション性に優れ、斬新な通信機用着信表示装置を提供するという目的を、着信検出回路に、携帯電話機の着信電波を検出させ、記憶部に文字、図形、記号等から形成される表示内容を書き替え可能に記憶させ、そして、制御部に、着信検出回路の出力に基づいて、記憶部から表示内容を読み出させ、複数のＬＥＤがマトリクス配列されたレトロ感覚の表示部に表示させることによって実現した。
【実施例】
【００１４】
以下、図面等を参照して、本発明の実施例をあげて、さらに詳しく説明する。
図１は、本発明を適用した実施例の着信表示装置１（通信機用着信表示装置）と、これが取り付けられた携帯電話機１００（通信機）とを示す外観図である。着信表示装置１は、携帯電話機１００に、紐２を用いて取り付けられている。紐２の長さは、携帯電話機１００が着信した電波を、着信表示装置１のアンテナ４が感知可能な長さである。
着信表示装置１は、直方体の装置であり、その１番大きな面に表示部３を備えている。
表示部３は、複数のＬＥＤ（発光ダイオード）がマトリクス配列されたレトロ感覚の表示装置であり、携帯電話機１００が電波を着信したときに、この着信電波を感知して、文字、図形若しくは記号若しくはこれらの結合又はこれらと色彩との結合（以下、「文字、図形、記号等」という。）から形成される表示内容を表示する。表示部３は、ＬＥＤを用いており視認性がよいので、携帯電話機１００の着信をより確実に確認することができる。
また、着信表示装置１は、その端部に端子カバー１ａを備えている。この端子カバー１ａは、入力端子８、充電端子１０（後述する）をカバーするためのものであり、装置本体に着脱可能に設けられている。
【００１５】
図２は、着信表示装置１のブロック図である。
図２に示すように、着信表示装置１は、制御ブロックに、表示部３と、アンテナ４と、着信検出回路５と、制御部６と、記憶部７と、入力端子８と、電池９と、充電端子１０とを備えている。
表示部３は、前述したようにＬＥＤを備えた表示装置であり、制御部６からの命令に応じて、表示内容を表示する。表示部３は、制御部６の表示部制御部６３（後述する）及び駆動回路（図示せず）により制御、駆動される。
【００１６】
アンテナ４は、携帯電話機１００が、着信したときにこの着信電波を感知するための部材である。
着信検出回路５は、アンテナ４と電気的に接続され、アンテナ４が着信電波を感知したことを検出して制御部６に出力するための電気回路である。着信検出回路５は、着信電波の種類の識別が可能である。これにより、着信検出回路５は、例えば、音声通話のための着信、メールのための着信等を識別して、信号を制御部６に出力することができる。着信検出回路５は、例えば、メール着信の場合、着信時間が短いので、この識別を着信時間の相違を利用して行ってもよい。着信検出回路５は、制御部６の検出回路制御部６１（後述する）により制御される。この着信検出回路５と、前述したアンテナ４とは、携帯電話機１００の着信電波を検出する検出部を構成する。
なお、着信電波の種類の識別は、検出回路制御部６１が着信検出回路５からの出力を識別することにより行ってもよく、検出回路制御部６１及び着信検出回路５からなる電気回路が一体で識別することにより行ってもよい。
【００１７】
制御部６は、着信表示装置１を総括的に制御するためのＣＰＵである。制御部６は、検出回路制御部６１と、外部通信制御部６２と、表示部制御部６３と、記憶部制御部６４とを有している。
検出回路制御部６１は、着信検出回路５を制御するための制御部である。検出回路制御部６１は、着信検出回路５からの出力信号が入力される。
外部通信制御部６２は、入力端子８を介して、パーソナルコンピュータ等（外部入力装置）と通信を行うための制御部である。外部通信制御部６２と入力端子８とは、パーソナルコンピュータ等との間で通信可能な通信手段である。
表示部制御部６３は、表示部３を制御するための制御部である。表示部制御部６３は、表示部３に、記憶部７に記憶された表示内容を表示する。
記憶部制御部６４は、記憶部７を制御するための制御部であり、記憶部７の情報の読み出し、書き込み等を行う。
【００１８】
記憶部７は、表示部３の表示内容を記憶するための、例えば、フラッシュメモリ等の記憶装置である。記憶部７は、制御部６の記憶部制御部６４の命令に応じて、制御される。記憶部７は、着信検出回路５からの出力に対応した文字、図形、記号等からなる表示内容を記憶している。記憶部７に記憶された表示内容は、書き替えることができる。すなわち、外部通信制御部６２と入力端子８とからなる通信手段がパーソナルコンピュータ等と通信し、外部通信制御部６２が記憶部制御部６４との間で情報の伝達をし、そして、記憶部制御部６４が、記憶部７の表示内容の書き替えを行う。
入力端子８は、パーソナルコンピュータ等（外部入力装置）との間を、例えば、ＵＳＢケーブル等を用いて電気的に接続可能にするための、ＵＳＢ端子等の入力端子である。入力端子８は、制御部６との間を電気的に接続されており、入力された情報を制御部６に出力する。
この入力端子８、外部通信制御部６２は、着信表示装置１とパーソナルコンピュータ等との間の通信を可能にするための通信手段である。
【００１９】
電池９は、表示部３、アンテナ４、着信検出回路５、制御部６、記憶部７に電力を供給するための電源であり、例えば、リチウムイオン電池である。
充電端子１０は、電池９を充電するために用いる端子であり、例えば、ＡＣアダプタ等を介して、家庭用ＡＣコンセントに接続される。充電端子１０は、入力端子８と兼用してもよく、この場合、パーソナルコンピュータ等に接続することにより、電池９が充電される。
【００２０】
次に、着信表示装置１の動作について説明する。
図３は、着信表示装置１の動作を示す流れ図である。
最初にステップＳ１において、携帯電話機１００が着信した電波を、アンテナ４、着信検出回路５とからなる検出部が検出する（本実施例では、この着信は、音声通話のためのものであるとする）。着信検出回路５は、この着信を通話のものであると識別し、制御部６の検出回路制御部６１に信号を出力する。検出回路制御部６１は、記憶部制御部６４に必要な情報を伝達する。
ステップＳ２において、記憶部制御部６４は、出力に対応した表示内容、すなわち通話に対応した表示内容を、記憶部７から読み出す。本実施例では、通話に対応した表示内容は、文字、図形、記号等からなる「電話☆だよ！」（図１、図２参照）という表示内容である。
ステップＳ３において、制御部６の表示部制御部６３は、表示部３に、「電話☆だよ！」という表示内容を表示する。これにより、ユーザは、通話のための着信電波であることを確認することができる。このとき、表示部制御部６３は、視認性をさらに向上させ、また、より多くの表示内容を表示するために、表示内容を、表示部３にスクロール表示してもよい。
なお、例えば、着信電波がメールのものであれば、前述した動作と同様にして、表示部３に、例えば「メールだよ！」と表示される。
【００２１】
以上説明したように、本実施例の着信表示装置１（通信機用着信表示装置）は、検出回路制御部６１等（検出部）が携帯電話機１００（通信機）の着信電波を検出し、記憶部７が文字、図形、記号等から形成される表示内容を記憶する。そして、制御部６は、着信検出回路５の出力に基づいて、記憶部７から表示内容を読み出し、複数のＬＥＤを備えた表示部３に表示する。これにより、携帯電話機１００の着信を、表示部３を視認することにより、確認することができる。また、表示部３は、複数のＬＥＤを備えているので、例えば、暗所でも優れた視認性を有することができる。
また、このとき、着信検出回路５は、着信電波の種類を検出し、種類に応じた出力が可能であり、記憶部制御部６４は、この出力に対応した表示内容を記憶部７から読み出し、表示部３に表示する。これにより、ユーザは、表示内容を視認することにより、着信電波の種類（例えば、メール、通話等）を判別することができる。
【００２２】
さらに、本実施例の着信表示装置１は、表示部３が、複数のＬＥＤがマトリクス配列されたレトロ感覚の表示装置である。また、パーソナルコンピュータ等（外部入力装置）との間で通信可能にするために、入力端子８、外部通信制御部６２から構成される通信手段を備え、記憶部７の表示内容を書き替えることができる。これにより、着信表示装置１は、斬新さ、優れたファッション性を有し、より多くの年齢層に対応でき、また、表示内容を書き替えて、ユーザ（所有者）の趣向を反映させることができる。
【００２３】
（変形例）
以上説明した実施例に限定されることなく、種々の変形や変更が可能であって、それらも本発明の均等の範囲内である。
（１）本実施例において、着信表示装置１は、入力端子８がＵＳＢ端子であり、パーソナルコンピュータ等（外部入力装置）を用いて記憶部７の表示内容の書き替えを行う例を示したが、これに限定されない。例えば、入力端子８の形状は、携帯電話機１００（通信機）の入出力端子との間を、ケーブル等を用いて接続可能とするものでもよい。これにより、携帯電話機１００が外部入力装置を兼用可能なので、パーソナルコンピュータ等を用いなくても、記憶部７の表示内容の書き替えを行うことができる。また、着信表示装置１と外部入力装置の通信は、ＵＳＢケーブル等を用いた通信ではなく、無線通信（例えば、赤外線通信等）でもよい。
【００２４】
（２）本実施例において、表示部は、複数のＬＥＤがマトリクス配列された表示装置である例を示したが、これに限定されない。表示部は、文字、図形、記号等から形成される表示内容を表示できる表示装置であればよい。例えば、表示部は、ＬＣＤ（液晶表示装置）でもよく、また、複数の７セグメントＬＥＤを備えた表示装置でもよい。
【図面の簡単な説明】
【００２５】
【図１】本発明による実施例の着信表示装置、携帯電話機の外観図である。
【図２】本発明の着信表示装置のブロック図である。
【図３】本発明の着信表示装置の動作を示す流れ図である。
【符号の説明】
【００２６】
１    着信表示装置
３    表示部
４    アンテナ
５    着信検出回路
６    制御部
７    記憶部
８    入力端子
６１    検出回路制御部
６２    外部通信制御部
６３    表示部制御部
６４    記憶部制御部
１００    携帯電話機
【図１】
2007116398.tif 000003
【図２】
2007116398.tif 000004
【図３】
2007116398.tif 000005